(57)【要約】【課題】ゲート部が開いた状態を維持することが可能な新規のカラビナを提供する。【解決手段】案内開口部１６と、これを画定する第１フレーム端部１３及び第２フレーム端部１４とを備えるフレーム部１１と、第１フレーム端部１３に回動自在に支持されるゲート部１２とを備え、ゲート部１２は、ゲート部１２の回動により案内開口部１６を閉じる位置に付勢する第１コイルスプリング２１と、一端が第１コイルスプリング２１に当接され、他端が係止溝２６に係止されており、屈曲した板状バネ２４と、第１フレーム端部１３に設けられた係止用角部３４に係合する係合部４２を備え、ゲート部１２における第１フレーム端部１３近傍で回動自在に支持されている第１ストッパ２５とを有し、第１ストッパ２５は、係合部４２が係止用角部３４に係合することにより、第１コイルスプリング２１及び板状バネ２４の付勢に抗して、ゲート部１２が案内開口部１６を閉じる位置に戻るのを規制する。【選択図】  図１
2018119616.tif 000002
【特許請求の範囲】
【請求項１】
案内開口部と、当該案内開口部を画定する第１フレーム端部及び第２フレーム端部とを有するフレーム部と、
前記フレーム部の前記第１フレーム端部に回動自在に支持されるゲート部とを少なくとも備え、
前記ゲート部は、
前記ゲート部に収容され、当該ゲート部の回動により前記案内開口部が閉じる位置に付勢する第１コイルスプリングと、
一端が前記第１コイルスプリングに当接され、他端が前記フレーム部の前記第１フレーム端部の近傍に設けられた係止溝に係止されており、任意の位置で少なくとも１箇所屈曲した板状バネと、
前記第１フレーム端部に設けられた係止用角部に係合する係合部を備え、前記ゲート部における前記第１フレーム端部近傍で回動自在に支持されている第１ストッパとを有し、
前記第１ストッパの係合部が前記第１フレーム端部の前記係止用角部に係合して、前記第１コイルスプリング及び板状バネの付勢に抗することにより、前記ゲート部が回動し前記案内開口部が閉じる位置に戻るのを規制するカラビナ。
【請求項２】
案内開口部と、当該案内開口部を画定する第１フレーム端部及び第２フレーム端部とを有するフレーム部と、
前記フレーム部の前記第１フレーム端部に回動自在に支持されるゲート部とを少なくとも備え、
前記ゲート部は、
前記ゲート部に収容され、当該ゲート部の回動により前記案内開口部が閉じる位置に付勢する第１コイルスプリングと、
一端が前記第１コイルスプリングに当接され、他端が前記フレーム部の前記第１フレーム端部の近傍に設けられた係止溝に係止されており、任意の位置で少なくとも１箇所屈曲した板状バネと、
前記ゲート部に収容され、当該ゲート部の回動により前記案内開口部が開く位置に付勢する第２コイルスプリングと、
一端が前記第２コイルスプリングに当接され、他端が前記第１フレーム端部に設けられた係止用角部に当接されており、前記ゲート部内で当該ゲート部の長手方向に摺動可能に収容されている長尺の第２ストッパとを有し、
前記第２ストッパの他端が前記第１フレーム端部の近傍に設けられた係止溝に係止し、かつ、第２コイルスプリングが前記案内開口部が開く位置に付勢して、前記第１コイルスプリング及び板状バネの付勢に抗することにより、前記ゲート部が回動し前記案内開口部が閉じる位置に戻るのを規制するカラビナ。
【請求項３】
前記第１ストッパの係合部は、当該第１ストッパの回動面に平行となる断面において略Ｖ字状の断面形状を有する切り欠き部である請求項１に記載のカラビナ。
【請求項４】
前記ゲート部は、前記フレーム部とゲート部が形成する内方領域とは反対側の面に、前記第１ストッパを収容するための第１開口部を備えており、
前記係合部の少なくとも一部が、前記第１開口部より表出している請求項１又は３に記載のカラビナ。
【請求項５】
前記ゲート部は、前記フレーム部とゲート部が形成する内方領域とは反対側の面に第２開口部を備えており、
前記第２ストッパに設けられた突出部が前記第２開口部より表出している請求項２に記載のカラビナ。
【発明の詳細な説明】
【技術分野】
【０００１】
本発明は、ゲート部の開口状態を維持することが可能なカラビナに関する。
【背景技術】
【０００２】
カラビナ（スナップフック又は解除可能なクランプ）は、ある物体を別の物体へと解除可能に結合する用途に使用されるものである。具体的には、登山補助具やキーホルダー等の装飾用品、荷役作業等でロープ等を掛ける道具、種々の工具等を掛ける道具として使用される。
【０００３】
登山補助具用のカラビナとしては、例えば、Ｃ字形のボディと、前記ボディの一端部でスピンドルを介して回動自在に支持されたフィンガー（ゲート部）とを備え、さらに当該フィンガーとして、凹部の内部を外部に連通させる第２の後方出口開口部を第１開口部の反対側に備えたものがある（下記特許文献１参照）。この発明によれば、フィンガーが閉じる方向のストローク端で突起部が第２後方出口開口部に臨むことによって、泥が外部に排出されて凹部内部のロック部が自浄されるとしている。
【０００４】
また、略Ｃ字形の本体と、前記本体の一端にピンによって回動自在に軸支された揺動体（ゲート部）と、前記本体の他端に設けた揺動体のストッパとを備え、前記揺動体の軸支側と反対側の自由端に前記ストッパと嵌合する開口部を設けると共に、前記自由端の両側に突起部を設けたカラビナも提案されている（下記特許文献２参照）。この発明によれば、揺動体の閉塞時に前記開口部がストッパと嵌合しない場合、突起部はストッパに当接することによって揺動体の回動を規制するとされている。
【０００５】
これらのカラビナは登山補助具用であるので、誤作動は重大かつ致命的な事故を引き起こす恐れがある。そのため、特にゲート部においては誤動作や偶発的なものに起因して開くのを防止することが、カラビナの基本的性能として要求されている。また、登山補助具用のカラビナの場合、ゲート部は極力閉じた状態にあることが望ましい。そのため、ゲート部の内部にコイル状のスプリング及び板バネを設けて、これらの付勢によりゲート部が瞬時に閉じた状態となる様に構成されている（例えば、下記特許文献３参照）。
【先行技術文献】
【特許文献】
【０００６】
【特許文献１】特開平７−４７１５０号公報
【特許文献２】特開２０１１−５０６８９号公報
【特許文献３】特開２０１６−６３４２号公報
【発明の概要】
【発明が解決しようとする課題】
【０００７】
しかしながら、例えば、荷役作業で使用する場合や種々の工具等を掛ける場合においては、ゲート部が開口した状態を維持できた方が、作業効率が向上する場合がある。
【０００８】
本発明は前記事情に鑑みなされたものであり、その目的は、ゲート部が開いた状態を維持することが可能な新規のカラビナを提供することにある。
【課題を解決するための手段】
【０００９】
本発明に係るカラビナは、前記の課題を解決する為に、案内開口部と、当該案内開口部を画定する第１フレーム端部及び第２フレーム端部とを有するフレーム部と、前記フレーム部の前記第１フレーム端部に回動自在に支持されるゲート部とを少なくとも備え、前記ゲート部は、前記ゲート部に収容され、当該ゲート部の回動により前記案内開口部が閉じる位置に付勢する第１コイルスプリングと、一端が前記第１コイルスプリングに当接され、他端が前記フレーム部の前記第１フレーム端部の近傍に設けられた係止溝に係止されており、任意の位置で少なくとも１箇所屈曲した板状バネと、前記第１フレーム端部に設けられた係止用角部に係合する係合部を備え、前記ゲート部における前記第１フレーム端部近傍で回動自在に支持されている第１ストッパとを有し、前記第１ストッパの係合部が前記第１フレーム端部の前記係止用角部に係合して、前記第１コイルスプリング及び板状バネの付勢に抗することにより、前記ゲート部が回動し前記案内開口部が閉じる位置に戻るのを規制することを特徴とする。
【００１０】
また、本発明に係る他のカラビナは、前記の課題を解決する為に、案内開口部と、当該案内開口部を画定する第１フレーム端部及び第２フレーム端部とを有するフレーム部と、前記フレーム部の前記第１フレーム端部に回動自在に支持されるゲート部とを少なくとも備え、前記ゲート部は、前記ゲート部に収容され、当該ゲート部の回動により前記案内開口部が閉じる位置に付勢する第１コイルスプリングと、一端が前記第１コイルスプリングに当接され、他端が前記フレーム部の前記第１フレーム端部の近傍に設けられた係止溝に係止されており、任意の位置で少なくとも１箇所屈曲した板状バネと、前記ゲート部に収容され、当該ゲート部の回動により前記案内開口部が開く位置に付勢する第２コイルスプリングと、一端が前記第２コイルスプリングに当接され、他端が前記第１フレーム端部に設けられた係止用角部に当接されており、前記ゲート部内で当該ゲート部の長手方向に摺動可能に収容されている長尺の第２ストッパとを有し、前記第２ストッパの他端が前記第１フレーム端部の近傍に設けられた係止溝に係止し、かつ、第２コイルスプリングが前記案内開口部が開く位置に付勢して、前記第１コイルスプリング及び板状バネの付勢に抗することにより、前記ゲート部が回動し前記案内開口部が閉じる位置に戻るのを規制することを特徴とする。
【００１１】
前記の構成に於いて、前記第１ストッパの係合部は、当該第１ストッパの回動面に平行となる断面において略Ｖ字状の断面形状を有する切り欠き部であることが好ましい。
【００１２】
前記の構成に於いて、前記ゲート部は、前記フレーム部とゲート部が形成する内方領域とは反対側の面に、前記第１ストッパを収容するための第１開口部を備えており、前記係合部の少なくとも一部が、前記第１開口部より表出していることが好ましい。
【００１３】
前記構成に於いて、前記ゲート部は、前記フレーム部とゲート部が形成する内方領域とは反対側の面に第２開口部を備えており、前記第２ストッパに設けられた突出部が前記第２開口部より表出していることが好ましい。
【発明の効果】
【００１４】
本発明は、前記に説明した手段により、以下に述べるような効果を奏する。
即ち、本発明のカラビナは、第１フレーム端部及び第２フレーム端部に画定される案内開口部を備えるフレーム部と、当該第１フレーム端部に回動自在に支持されるゲート部とを少なくとも備える。
【００１５】
前記ゲート部には、第１コイルスプリング及び板状バネがそれぞれ収容して設けられており、さらに板状バネはその一端が第１コイルスプリングに当接され、他端が第１フレーム端部の近傍に設けられた係止溝に係止されている。そして、ゲート部が回動すると、当該ゲート部を支持する位置と係止溝との位置の違いによって、第１コイルスプリングは板状バネから圧縮作用を受け、これにより案内開口部を閉じる位置にゲート部を付勢する。
【００１６】
一方、ゲート部には、第１フレーム端部に設けられた係止用角部に係合する係合部を備えた第１ストッパも設けられている。当該第１ストッパは第１フレーム端部の近傍で回動自在に支持されている。そのため、係合部を第１フレーム端部の係止用角部に係合するようにゲート部を回動させた場合、当該第１ストッパは、第１コイルスプリング及び板状バネの付勢に抗することができる。その結果、第１ストッパは、ゲート部が回動して案内開口部を閉じる位置に戻ろうとするのを規制することができる。
【００１７】
すなわち、本発明のカラビナによれば、第１ストッパを適時的に回動させることで、第１コイルスプリング及び板状バネの付勢に抗して、ゲート部が案内開口部を閉じる位置に戻ろうとするのを長期にわたって規制することができる。その結果、本発明のカラビナを、例えば荷役作業や種々の工具等の懸架等に用いた場合には、その作業効率の向上を図ることができる。
【００１８】
また、本発明に係る他のカラビナは、前記第１ストッパに代えて、ゲート部内で当該ゲート部の長手方向に摺動可能に収容された長尺の第２ストッパを備える。さらに、他のカラビナは、前記ゲート部に収容され、かつ、当該ゲート部の回動により案内開口部が開く位置に付勢する第２コイルスプリングも備える。また、第２ストッパは、その一端が第２コイルスプリングに当接し、他端が第１フレーム端部に設けられた係止用角部に係止している。
【００１９】
ゲート部が案内開口部を閉じる位置にある場合、第２コイルスプリングは第２ストッパから圧縮作用を受けている。そして、ゲート部を案内開口部が開く位置に回動させると、第２コイルスプリングの回復復元力により第２ストッパが摺動し、第１フレーム端部の近傍に設けられた係止溝に係止する。一方、ゲート部が回動すると、当該ゲート部を支持する位置と係止溝との位置の違いによって、第１コイルスプリングは板状バネから圧縮作用を受け、これにより案内開口部を閉じる位置にゲート部を付勢する。しかし、第２ストッパの他端が前記係止溝で係止することにより、第２ストッパは、ゲート部が回動して案内開口部を閉じる位置に戻ろうとするのを規制する。
【００２０】
すなわち、本発明の他のカラビナによれば、第２ストッパを摺動させて、その他端を第１フレーム端部の近傍に設けられた係止溝に係止させることで、第１コイルスプリング及び板状バネの付勢に抗して、ゲート部が案内開口部を閉じる位置に戻ろうとするのを長期にわたって規制することができる。その結果、本発明の他のカラビナについても、例えば荷役作業や種々の工具等の懸架等に用いた場合には、その作業効率の向上を図ることができる。
【図面の簡単な説明】
【００２１】
【図１】本発明の実施の一形態に係るカラビナにおいて、案内開口部が閉じた状態を表す斜視図である。
【図２】前記カラビナにおいて、ゲート部が開き案内開口部が形成された状態を表す斜視図である。
【図３】前記カラビナのゲート部におけるストッパを表す部分拡大図である。
【図４】前記カラビナのゲート部が回動し案内開口部が開閉する様子を表す部分拡大断面図である。
【図５】同図（ａ）は前記カラビナにおける板状バネの概略を表す斜視図であり、同図（ｂ）はストッパの概略を表す拡大斜視図である。
【図６】本発明の他の実施の形態に係るカラビナにおいて、案内開口部が閉じた状態を表す斜視図である。
【図７】前記カラビナにおいて、ゲート部が開き案内開口部が形成された状態を表す斜視図である。
【図８】前記カラビナのゲート部が回動し案内開口部が開閉する様子を表す部分拡大断面図である。
【発明を実施するための形態】
【００２２】
（実施の形態１）
本発明の実施の形態１について、図１〜図５を参照しながら以下に説明する。但し、説明に不要な部分は省略し、また説明を容易にする為に拡大または縮小等して図示した部分がある。
【００２３】
図１は本実施の形態に係るカラビナにおいて、案内開口部が閉じた状態を表す斜視図である。図２は前記カラビナにおいて、ゲート部が開き案内開口部が形成された状態を表す斜視図である。図３は、前記カラビナのゲート部におけるストッパを表す部分拡大図である。図４は、前記カラビナのゲート部が回動し案内開口部が開閉する様子を表す部分拡大断面図である。図５（ａ）は前記カラビナにおける板状バネの概略を表す斜視図であり、同図（ｂ）はストッパの概略を表す拡大斜視図である。
【００２４】
本実施の形態のカラビナ１は、図１及び図２に示すように、フレーム部１１と、ゲート部１２を少なくとも備える。
【００２５】
フレーム部１１はその一部に切り欠き部分を備えた略Ｃ字状の形状を有している。フレーム部１１はゲート部１２と共に、内方領域１５を形成する。切り欠き部分は案内開口部１６を形成し得るものであり、当該案内開口部１６は第１フレーム端部１３と第２フレーム端部１４により画定される。第１フレーム端部１３には挿通孔１９（図４参照）が設けられており、これによりフレーム部１１の投影面が略Ｃ字状となる面に対し垂直に、リベットピン１８（詳細については後述する。）を挿通することができる。さらに、第１フレーム端部１３の先端には、後述するストッパとの係合を可能にするための係止用角部３４が設けられている。また、第２フレーム端部１４には、係止部１７が形成されている。係止部１７は、ゲート部１２に係止するものである。
【００２６】
尚、フレーム部１１の全体形状は略Ｃ字状の他に、当該フレーム部１１の機械的強度を考慮して、長円形状、滴型楕円形状、四角形状など、その他の形状であってもよい。また、フレーム部１１の材質は特に限定されず、例えば、金属又は合成樹脂等を例示することができる。さらに、本実施の形態のフレーム部１１の断面形状は略矩形状となっているが、本発明はこの形状に限定されず、例えば、円形状、楕円形状、六角形状、八角形状等であってもよい。
【００２７】
ゲート部１２は、第１コイルスプリング２１と、板状バネ２４と、第１ストッパ２５とを少なくとも備える。ゲート部１２は、フレーム部１１の第１フレーム端部１３における挿通孔１９に挿通され支持されているリベットピン１８によって、回動自在に支持される。ゲート部１２の全体形状は、僅かに湾曲した略円柱状となっている。但し、本発明はこの形状に限定されるものではなく、円柱状等の他の全体形状であってもよい。
【００２８】
ゲート部１２の揺動先端には、係止部１７に係止する係止凹部２９が設けられている（図２参照）。係止凹部２９は、ゲート部１２が図２の矢印で示す方向に回動し、案内開口部１６を閉じる際に、第２フレーム端部１４の係止部１７の少なくとも一部を収納して当接する。これにより、ゲート部１２がさらに回動するのを規制する。つまり、係止部１７と係止凹部２９は、ゲート部１２を閉止位置に規制する。
【００２９】
ゲート部１２には、図３に示す様に、第１コイルスプリング２１を収容するための収容空間２０が設けられている。収容空間２０は略筒状であり、ゲート部１２の回動基端において、第１コイルスプリング２１の挿入口２２として開口している。さらに、挿入口２２には、リベットピン１８が横断している。また、ゲート部１２の内部には、当該ゲート部１２が案内開口部１６を開く位置に回動する方向（図４の矢印で示す方向）側に、開放規制部２３が設けられている。開放規制部２３は、ゲート部１２が案内開口部１６を開くために、例えば９０度等の所定の角度まで回動した場合、フレーム部１１に当接する。これにより、ゲート部１２が当該角度以上に回動するのを規制する。
【００３０】
第１コイルスプリング２１は、コイル状に形成される。第１コイルスプリング２１は、ゲート部１２の収容空間２０に収容された状態で、ゲート部１２を閉じる位置に付勢する。
【００３１】
板状バネ２４はバネ性を備えた金属片からなる。また、板状バネ２４は、中央部で１箇所屈曲し、全体が略へ字状に曲げられた形状を有している。但し、屈曲する位置については特に限定されず、適宜必要に応じて設定することができる。また、屈曲する位置も複数にすることができる。尚、板状バネ２４は合成樹脂で構成されたものであってもよい。
【００３２】
板状バネ２４の一端は、第１コイルスプリング２１に当接している。より具体的には、図５に示すように、板状バネ２４のスプリング挿入部３１が第１コイルスプリング２１に挿入された状態で当接する。また、板状バネ２４には、スプリング挿入部３１よりも左右にそれぞれ張り出した一対のスプリング座部３２が設けられており、当該スプリング座部３２が第１コイルスプリング２１に当接することにより、板状バネ２４が第１コイルスプリング２１に圧縮力を加えるのを可能にしている。ゲート部１２を案内開口部１６が閉じる位置に付勢するのは、第１コイルスプリング２１と板状バネ２４との弾性復元力による。また、板状バネ２４の他端は、第１フレーム端部１３の近傍に設けられた係止溝２６に係止されている。
【００３３】
また、ゲート部１２には第１ストッパ２５を収容するための第１開口部２７が、内方領域１５とは反対側の面に設けられている。さらに、ゲート部１２には、ストッパ用リベットピン２８（詳細については後述する。）を挿通するための第１ストッパ用挿通孔（図示しない）が設けられている。また、第１ストッパ用挿通孔は、ストッパ用リベットピン２８が、フレーム部１１の投影面が略Ｃ字状となる面に対し垂直となる様に設けられている。さらに、ストッパ用挿通孔は第１フレーム端部１３の近傍に設けられている。
【００３４】
第１ストッパ２５は、第２ストッパ用挿通孔４１と、切り欠き部（係合部）４２とを備える。
【００３５】
第２ストッパ用挿通孔４１は、第１ストッパ２５が、第１フレーム端部１３近傍で、ストッパ用リベットピン２８を介して回動自在に支持されるのを可能にする。第２ストッパ用挿通孔４１は、第１ストッパ２５において、切り欠き部４２が設けられている面とは反対側の角部に設けられている。また、第２ストッパ用挿通孔４１にはストッパ用リベットピン２８が挿通されており、当該ストッパ用リベットピン２８はゲート部１２の第１ストッパ用挿通孔にも挿通するものである。これにより、第１ストッパ２５はストッパ用リベットピン２８を介して回動自在に支持される。
【００３６】
切り欠き部４２は、第１ストッパ２５の回動面に平行となる断面において略Ｖ字状の断面形状を有している（図５（ｂ）参照）。これにより、切り欠き部４２は第１フレーム端部１３の係止用角部３４との係合を可能にしている。尚、第１ストッパ２５の回動面とは、第１ストッパ２５が回動した際の軌跡によって規定される面であって、ストッパ用リベットピン２８に垂直となる面をいう。
【００３７】
切り欠き部４２は、ゲート部１２が案内開口部１６を閉鎖している場合は、係止用角部３４と係合しない。その一方、ゲート部１２を回動させて開いた状態にし、かつ、そのゲート部１２が開いた状態を維持する場合は、切り欠き部４２を係止用角部３４と係合させる。具体的には、切り欠き部４２において略Ｖ字状を形成する第１当接面４３ａと第２当接面４３ｂが係止用角部３４にそれぞれ当接する。第１当接面４３ａは第１開口部２７から表出している側の当接面であり、第２当接面４３ｂはゲート部１２の内部側の当接面である。これにより、第１コイルスプリング２１及び板状バネ２４の付勢に抗して、ゲート部１２が回動し案内開口部１６を閉じる位置に戻るのを規制することができる。但し、ゲート部１２が開いた状態であっても、その状態を維持しない場合は、切り欠き部４２は係止用角部３４と係合しない。
【００３８】
尚、切り欠き部４２が係止用角部３４と係合しない状態では、当該切り欠き部４２の一部がゲート部１２の第１開口部２７から表出している。従って、ユーザーは、表出した部分を押下して第１ストッパ２５を回動させることにより、簡便に係止用角部３４との係合やその解除を行うことができ、利便性に優れている。
【００３９】
次に、本実施の形態に係るカラビナ１の動作機構について、図３に基づき説明する。
先ず、ゲート部１２が案内開口部１６を閉じる位置にある場合、第１ストッパ２５の切り欠き部４２における第２当接面４３ｂ側の角部が第１フレーム端部１３の係止用角部３４に当接しており、第１ストッパ２５がゲート部１２の内部に収容されるように回動するのが規制されている。これにより、第１ストッパ２５の切り欠き部４２は、第１フレーム端部１３の係止用角部３４と係合せずに第１開口部２７から表出した状態となっている。
【００４０】
また、板状バネ２４は第１コイルスプリング２１に対し圧縮作用を及ぼしているが、第２フレーム端部１４における係止部１７がゲート部１２を係止する結果、当該ゲート部１２は内方領域１５とは反対側の方向にそれ以上回動するのを規制されている。
【００４１】
次に、ゲート部１２を案内開口部１６が開く位置に回動させると、切り欠き部４２における第２当接面４３ｂの角部が第１フレーム端部１３の係止用角部３４と当接しなくなる結果、第１ストッパ２５がゲート部１２の内部に収容されるように、当該第１ストッパ２５を回動させることが可能になる。そして、案内開口部１６が十分に開口した状態になると、切り欠き部４２の第１当接面４３ａと第２当接面４３ｂが係止用角部３４にそれぞれ当接して、第１ストッパ２５が第１フレーム端部１３の係止用角部３４と係合する。
【００４２】
このとき、板状バネ２４には、その屈曲部分が直線状となる様に押圧力が加えられ、これに伴い第１コイルスプリング２１に対しても当該第１コイルスプリング２１を圧縮する力が加えられる。その結果、ゲート部１２が案内開口部１６を閉じる位置にまで戻そうとする付勢力が働く。しかし、上述の通り、第１ストッパ２５が第１フレーム端部１３の係止用角部３４と係合するため、第１コイルスプリング２１及び板状バネ２４の付勢に抗することができる。その結果、ゲート部１２が回動して案内開口部１６を閉じる位置に戻るのを規制することができる。これにより、案内開口部１６が開いた状態を維持することができる。
【００４３】
ゲート部１２を、再び案内開口部１６が閉じる位置に戻す場合は、ゲート部１２をいったん内方領域１５の方向（図４中の矢印で示す方向）に回動させた後、第１ストッパ２５を第１当接面４３ａが第１開口部２７から表出させる方向に回動させる。これにより、切り欠き部４２の第１当接面４３ａ及び第２当接面４３ｂが係止用角部３４に当接するのを解除する。その結果、第１コイルスプリング２１及び板状バネ２４の付勢によりゲート部１２を回動させ、当該ゲート部１２を案内開口部１６が閉じる位置に回帰させる。
【００４４】
（実施の形態２）
本発明にかかるカラビナの他の実施の形態について、図６〜図８を用いて以下に説明する。なお、前記実施の形態１のカラビナ１と同様の機能を有する構成要素については、同一の符号を付して詳細な説明を省略する。
【００４５】
図６は本実施の形態に係る他のカラビナにおいて、案内開口部が閉じた状態を表す斜視図である。図７は前記他のカラビナにおいて、ゲート部が開き案内開口部が形成された状態を表す斜視図である。図９は、前記他のカラビナのゲート部が回動し案内開口部が開閉する様子を表す部分拡大断面図である。
【００４６】
ゲート部１２は、図６〜図８に示すように、第１コイルスプリング２１と、板状バネ２４と、第２ストッパ５１と、第２コイルスプリング５２とを少なくとも備える。
【００４７】
ゲート部１２には、第２コイルスプリング５２を収容するための収容空間５３が設けられている。収容空間５３は略筒状であり、第１コイルスプリング２１を収容する収容空間２０に対し、フレーム部とゲート部が形成する内方領域１５とは反対側に設けられている。
【００４８】
第２コイルスプリング５２は、コイル状に形成される。第２コイルスプリング５２は、ゲート部１２の収容空間５３に収容された状態で、ゲート部１２を開く位置にこれを付勢する。
【００４９】
また、ゲート部１２には、第２ストッパ５１の突出部５６（詳細については後述する。）を表出させるための第２開口部５４が、内方領域１５とは反対側の面に設けられている。また、第２開口部５４はゲート部１２の長尺方向に略平行に延在して設けられている。これにより、第２ストッパ５１がゲート部１２の長尺方向に摺動するに際して、突出部５６が第２開口部５４から表出した状態を維持することができる。
【００５０】
第２ストッパ５１は、長尺の本体部５５と、当該本体部５５に一体的に設けられ、かつ、突出した突出部５６とを備える。本体部５５の一端は、第２コイルスプリング５２に当接している。より具体的には、図８に示すように、本体部５５の一部が第２コイルスプリング５２に挿入された状態で当接する。一方、本体部５５の他端は、ゲート部１２が案内開口部１６を閉じる位置にある場合には、第１フレーム端部１３の係止用角部３４に当接している。このとき、第２コイルスプリング５２は本体部５５から圧縮作用を受けている。
【００５１】
本体部５５の外形は四角柱状となっている。但し、本発明はこの態様に限定されるものではなく、長尺であれば円柱状、三角柱状等の他の形状を採用することも可能である。
【００５２】
突出部５６は本体部５５に一体的に設けられており、第２開口部５４から少なくとも一部が表出している。当該突出部５６を第２開口部５４から表出させることにより、指等で第２ストッパ５１をゲート部１２の長尺方向に摺動可能にしている。
【００５３】
次に、本実施の形態に係るカラビナ１’の動作機構について、図８に基づき説明する。
先ず、ゲート部１２が案内開口部１６を閉じる位置にある場合、第２ストッパ５１の他端は第１フレーム端部１３の係止用角部３４に当接しており、第２コイルスプリング５２は第２ストッパ５１から圧縮力を受け、縮んだ状態となっている。
【００５４】
また、板状バネ２４は第１コイルスプリング２１に対し圧縮作用を及ぼしているが、係止部１７がゲート部１２を係止する結果、当該ゲート部１２が内方領域１５とは反対側の方向にそれ以上回動するのを防止している。
【００５５】
次に、ゲート部１２を案内開口部１６が開く位置に回動させると、第２ストッパ５１の他端が当接している部分が、第１フレーム端部１３の係止用角部３４から係止溝２６に移動する。そして、案内開口部１６が十分に開口した状態になると、第２ストッパ５１（本体部５５）の他端が、第２コイルスプリング５２の弾性復元力により押されて、係止溝２６で係止する。
【００５６】
このとき、板状バネ２４には、その屈曲部分が直線状となる様に押圧力が加えられ、これに伴い第１コイルスプリング２１に対しても当該第１コイルスプリング２１を圧縮する力が加えられる。その結果、ゲート部１２が案内開口部１６を閉じる位置にまで戻そうとする付勢力が働く。しかし、上述の通り、第２ストッパ５１の他端が係止溝２６で係止しており、また第２コイルスプリング５２も、ゲート部１２を案内開口部１６が開く位置に回動させようと付勢するため、第１コイルスプリング２１及び板状バネ２４の付勢に抗することができる。その結果、ゲート部１２が案内開口部１６を閉じる位置に戻るのを規制することができる。
【００５７】
ゲート部１２を、案内開口部１６が閉じる位置に再び戻す場合は、ゲート部１２をいったん内方領域１５の方向（図８中の矢印で示す方向）に回動させた後、第２ストッパ５１を、第２コイルスプリング５２の付勢に抗して、第１フレーム端部１３から離れる方向に摺動させる。これにより、第２ストッパ５１の他端が係止溝２６で係止した状態を解除することができる。さらに、ゲート部１２を、第１コイルスプリング２１及び板状バネ２４の付勢により回動させることで、案内開口部１６が閉じる位置に戻すことができる。
【符号の説明】
【００５８】
１、１’  カラビナ
１１  フレーム部
１２  ゲート部
１３  第１フレーム端部
１４  第２フレーム端部
１５  内方領域
１６  案内開口部
１７  係止部
１８  リベットピン
１９  挿通孔
２０  収容空間
２１  第１コイルスプリング
２２  挿入口
２３  開放規制部
２４  板状バネ
２５  第１ストッパ
２６  係止溝
２７  第１開口部
２８  ストッパ用リベットピン
２９  係止凹部
３１  スプリング挿入部
３２  スプリング座部
３４  係止用角部
４１  ストッパ用挿通孔
４２  切り欠き部（係合部）
４３ａ  第１当接面
４３ｂ  第２当接面
５１  第２ストッパ
５２  第２コイルスプリング
５３  収容空間
５４  第２開口部
５５  本体部
５６  突出部
【図１】
2018119616.tif 000003
【図２】
2018119616.tif 000004
【図３】
2018119616.tif 000005
【図４】
2018119616.tif 000006
【図５】
2018119616.tif 000007
【図６】
2018119616.tif 000008
【図７】
2018119616.tif 000009
【図８】
2018119616.tif 000010